(57)【特許請求の範囲】
【請求項１】
風が吸い込み口、風路部を経由してブロアブロックに引き込まれ、手挿入部の上面部に設けた吹き出し口から手挿入部に風を吹き出して手を乾燥させる手乾燥装置であって、本体ハウジングの下部に水受けケースを配設し、手挿入部の下方の本体ハウジングの底部に下方に向けて凹む凹所を形成し、凹所の底部の前部と後部に左右方向に細長い開口部を設け、各開口部の下に開口部に連通した左右方向に細長い凹溝を形成し、各凹溝の端部に開口部から凹溝内に流れた水を水受けケースに排水するための排水口を側方に開口させて成ることを特徴とする手乾燥装置。
【請求項２】
上記本体ハウジングの底部の両開口部間の部位を開口部側が下となるように傾斜した山形傾斜部とし、本体ハウジングの底部の複数の開口部の周辺部分を開口部側が下となるように傾斜した傾斜面として成ることを特徴とする請求項１記載の手乾燥装置。
【発明の詳細な説明】
【０００１】
【発明の属する技術分野】
本発明は、風が吸い込み口、風路部を経由してブロアブロックに引き込まれ、吹き出し口から手挿入部に風を吹き出して手等を乾燥させる手乾燥装置に関するものである。
【０００２】
【従来の技術】
従来から、風が吸い込み口、風路部を経由してブロアブロックに引き込まれ、吹き出し口から手挿入部に風を吹き出して手等を乾燥させる手乾燥装置が知られている。そして、手乾燥装置の本体ハウジングの下部に水受けケースを配設してあり、手挿入部に濡れた手を入れて乾燥させる際、手に付着した水が本体ハウジングの底部に設けた開口部から直接水受けケース内に流れて溜まるようになっている。すなわち、水受けケースの上開口が本体ハウジングの底部に設けた開口部に直接連通していて、本体ハウジングの底部の開口部から直接水受けケース内に水が流れるようになっている。
【０００３】
ところが、上記のような構成の従来例にあっては、吹き出し口から吹き出される気流が開口部から水受けケース内の貯留水の水面に当って波打たせることになり、水位が高くなってくると水面の波打ちにより水受けケースから溢れ出るという問題がある。また、本体ハウジングの底部が従来はフラットであるため、本体ハウジングの底部に流れた水が開口部に流れにくく、底部に水が残留し、これが気流により飛ばされて外に飛散するという問題があった。
【０００４】
【発明が解決しようとする課題】
本発明は上記の点に鑑みてなされたものであり、吹き出し口から吹き出される気流によって水受けケース内の水が波打って外に溢れることがなく、また、本体ハウジングの底部に水が滞留することなく、スムーズに開口部側に排水できる手乾燥装置を提供することを課題とするものである。
【０００５】
【課題を解決するための手段】
上記課題を解決するために本発明に係る手乾燥装置は、風が吸い込み口１、風路部２を経由してブロアブロック６に引き込まれ、手挿入部３の上面部に設けた吹き出し口７から手挿入部３に風を吹き出して手を乾燥させる手乾燥装置であって、本体ハウジング８の下部に水受けケース１５を配設し、手挿入部３の下方の本体ハウジング８の底部に下方に向けて凹む凹所１６を形成し、凹所１６の底部の前部と後部に左右方向に細長い開口部１７を設け、各開口部１７の下に開口部１７に連通した左右方向に細長い凹溝２３を形成し、各凹溝２３の端部に開口部１７から凹溝２３内に流れた水を水受けケース１５に排水するための排水口２４を側方に開口させて成ることを特徴とするものであって、このような構成とすることで、手挿入部３に濡れた手を差し込んで吹き出し口７から吹き出される気流により乾燥させる際、手に付着した水が本体ハウジング８の底部に吹き飛ばされ、開口部１７から凹溝２３に流れ、更に、凹溝２３を気流により凹溝２３の端部の排水口２４側に流れ、側方に開口する排水口２４から下方の水受けケース１５内に流れ落ちて水受けケース１５に溜まるようになっている。このため、吹き出し口７から吹き出される気流が直接水受けケース１５内に溜まった水の水面に吹き当ることがなく、水受けケース１５内の水が波打つことが防止されるものである。
【０００６】
また、上記本体ハウジング８の底部の両開口部１７間の部位を開口部１７側が下となるように傾斜した山形傾斜部５０とし、本体ハウジングの底部の複数の開口部１７の周辺部分を開口部１７側が下となるように傾斜した傾斜面５１とすることが好ましい。このような構成とすることで、本体ハウジング８の底部に落下した水は山形傾斜部５０、傾斜面５１に沿って気流により開口部１７にスムーズに流れ込むものであって、外部に飛散することがないものである。
【０００７】
【発明の実施の形態】
以下、本発明を添付図面に示す実施形態に基づいて説明する。
【０００８】
手乾燥装置は背方に開口した本体ハウジング８と、本体ハウジング８の背面開口部に配置されて本体ハウジング８にねじ具１４により取り付けられる背面板９、本体ハウジング８の下部に取り付ける水受けケース１５とで外殻が構成してある。本体ハウジング８は上ハウジング体８ａと下ハウジング体８ｂとを組み合わせて構成してあり、下ハウジング体８ｂの下部には下方に向けて凹んだ凹所１６が形成してあり、凹所１６の底部には複数個の開口部１７が設けてあり、添付図面に示す実施形態においては、底部の前部と後部とに左右方向に細長い開口部１７が設けてある。ここで、図２に示すように、凹所１６の底部の開口部１７間の部位は開口部１７側が下となるように傾斜した山形傾斜部５０となっており、また、凹所１６の底部の複数の開口部１７の周辺部分は開口部１７側が下となるように傾斜した傾斜面５１となっている。
【０００９】
下ハウジング体８ｂには図６に示すように、断面Ｌ字状をした支持部１８が前後方向に設けてあり、水受けケース１５の係止部１９を支持部１８に前後方向にスライド自在に係止することで水受けケース１５を下ハウジング体８ｂに対して前方に抜き取り自在に取り付けてある。背面板９の下端部には着脱釦固定部材３４が設けてあり、着脱釦固定部材３４にはばね３５により下方に突出する方向にばね付勢された着脱釦３６が上下方向に移動自在に取り付けてある。着脱釦３６にはフック３７が設けてあり、支持部１８に係止部１９をスライド係止して水受けケース１５を下ハウジング体８ｂの下面側に取り付けた状態で、フック３７が水受けケース１５に設けた係止片部３８に係止しており、いたずらなどで水受けケース１５が引き出せないようになっている。つまり、着脱釦３６をばね３５に抗して押して、フック３７を係止片部３８から外した状態ではじめて水受けケース１５を前方に引き出して外すことができるようになっている。
【００１０】
水受けケース１５には図５に示すように、水を受ける部分である水受け部２０と吸い込み口１を構成する筒状通路４６とが設けてあり、水受けケース１５の上部にはフィルタ枠２１が取り付けられ、フィルタ枠２１に通気孔４４が設けてあってこの通気孔４４にフィルタ２２が装着してある。筒状通路４６の下端部には下方及び側方に開口したスリット１ａが形成してあってここから外部空気を吸い込むようになっている。
また、吸い込み口１を構成する筒状通路４６の上端開口部とフィルタ枠２１の通気孔４４が連通している。通気孔４４の周囲には図４に示すように、上方に向かってリブ４５が突設してあって通気孔４４内に装着したフィルタ２２を囲んでおり、水受けケース１５の水受け部２０に水が満水になった際でもリブ４５の存在により溢れた水がフィルタ２２を装着した通気孔４４側に移向しないようになっている。また、フィルタ枠２１には前部と後部とに左右方向に細長い凹溝２３が凹設してあり、水受けケース１５を下ハウジング体８ｂの下面側に取り付けた状態で、下ハウジング体８ｂの下部の前部と後部にそれぞれ設けた左右方向に細長い開口部１７とフィルタ枠２１の前部と後部とに設けた左右方向に細長い凹溝２３とが対向して連通するようになっている。図６、図７、図８に示すように、凹溝２３の長手方向の少なくとも一端部（つまり左端部又は右端部のいずれか一方又は両方）は側方に開口していて排水口２４となっている。フィルタ枠２１下面部の凹溝２３の両端部の排水口２４のやや外側方位置には排水口２４とわずかな隙間５３を介して対向する水跳ね返り防止リブ５４が設けてある。
【００１１】
図１に示すように、本体ハウジング８の中央部には前方から手を挿入するための手挿入部３が設けてあり、本体ハウジング８の前面の手挿入部３の側方（図に示す実施形態では両側方）には突状部２５が設けてあり、突状部２５内が空洞路となっていて風路部２を構成してある。この風路部２の下端開口部は前述のように水受けケース１５を取り付けた場合、フィルタ２２と連通するようになっている。風路部２の上部は上ハウジング体８ａ内に開口している。
上ハウジング体８ａ内にはブロアブロック６が内装してある。ブロアブロック６は独立発泡ゴム等で形成した防振、防音効果を有するブロアモータ保持材５９を介してブロアケース５にファンを備えたブロアモータ４、ヒータ２６、吹き出し口７、吸音材８０を取り付けて構成したものである。
【００１２】
上記のブロアケース５の後面部にはねじボス１３が後方に向けて一体に突設してあり、このねじボス１３は前端部がブロアケース５の内方(前方側)に向けて突出してある。そして、ねじボス１３には雌ねじ部１３ａが刻設してあり、雌ねじ部１３ａはブロアケース５の内方まで到っている（つまり、雌ねじ部１３ａの奥端部はブロアケース５よりも前方側に位置している）。ブロアケース５は背面板９にワッシャ３２を介して固定具１０を用いて取り付けられるが、この場合、ブロアケース５を背面板９に固定具１０により固定するに当って、固定具１０と背面板９とが接触しないようにゴムや弾性を有する合成樹脂等の弾性を有する材料により構成した弾性保持部１１を介して固定されるものである。
【００１３】
本体ハウジング８の前面部の内面には環状をしたリブ１２を設けてあり、このリブ１２にブロアケース５の前面部嵌め込んでブロアケース５の前面部を本体ハウジング８の前面部に位置決め保持してある。このようにブロアケース５の前面部を本体ハウジング８に位置決め保持することで、前述のようにブロアケース５を背面側で固定具１０で固定するだけでなく、前面側においてリブ１２により支持できて固定具１０による固定部分に急激な応力がかからないようにできるものである。
【００１４】
吹き出し口７は本体ハウジング８の中央部に形成された前方が開口する手挿入部３の上面部に開口しており、吹き出し口７は図９に示すように、前後方向に長いスリット孔７ａを左右方向に複数（例えば５列）配列することで構成してある。
【００１５】
本体ハウジング８の手挿入部３の内壁部の上部には人体検知センサー３８が設けてある。また、本体ハウジング８には図１に示すように電源スイッチ３９、ヒータ入り切りスイッチ４０、風量の強弱を選択するための風量切換えスイッチ４１が設けてある。
【００１６】
上記のような構成の手乾燥装置は図２に示すように壁４８に取り付け金具４９を用いて取り付けられるのであるが、この場合、本発明においては、吸い込み口１からブロアブロック６に到る風路部２を本体ハウジング８の手挿入部３の側方に設けてあるので、図２における壁４８からの出っ張り長さＭを短くできて、手挿入部３に手を入れて乾燥させる際における手の動作範囲の自由度を大きく取ることができるものである。
【００１７】
しかして、手挿入部３に濡れた手を差し込むと、人体検知センサー３８が手を検知し、ブロアモータ４、ヒータ２６に通電し、吸い込み口１から風を吸い込み、風路部２を経由してブロアブロック６に引き込み、ヒータ２６に加温し、加温された空気を、吹き出し口７から吹き出し、これにより手挿入部３に差し入れた濡れた手を乾燥させるものである。この場合、手に付着した水に温風が吹き当ることで蒸発し、また水の一部が本体ハウジング８の下部、つまり、下ハウジング体８ｂの底部に吹き飛ばされ、下ハウジング体８ｂの開口部１７から凹溝２３に流れ、上方から吹き付ける風によって凹溝２３の端部側に吹き流されて凹溝２３の長手方向の端部の排水口２４から水受けケース１５内に流れて溜められるものである。
【００１８】
この場合、吹き出し口７から吹き出された気流は下ハウジング体８ｂの底部に設けた開口部１７から吹き込むが、この気流は凹溝２３の底部に当り、凹溝２３に沿って水を長手方向の端部の側方に開口する排水口２４側に流すものであって、開口部１７から直接水受けケース１５内に吹き込んで水受けケース１５内に溜っている水の水面に吹き当って、水面を波立たせることがないものである。したがって、水位が高い場合に気流が水面を波立たせて水が水受けケース１５から溢れるというようなことが生じないようになっている。ところで、水受けケース１５が満水に近い状態のとき幾分かは気流により水面が波立つ可能性があるが、このような場合でも、水跳ね返り防止リブ５４を設けることにより、波打ちによって排水口２４から凹溝２３に戻り、開口部１７を越えて水が出てくるのを水跳ね返り防止リブ５４で防止することができるようにしている。
【００１９】
水受けケース１５にたまった水は水受けケース１５を手前に引き出して取り出すことで、捨てることができるものである。ところで、水受けケース１５を取り外している状態の時に手挿入部３に濡れた手を差し入れて上記のように乾燥させた場合に、開口部１７に水が流れても開口部１７の下方には何も部材がないので、開口部１７に流れた水はそのまま下方に流下するのみで使用者の居る方向である前方に飛散せず、使用者に水がかからないようにできるものである。
【００２０】
なお、吸い込み口１を水受けケース１５の内部に設けるのではなく、図２においてイで示す水受けケース１５の中央部の下部に設けた凹段部１５ａに設けた場合には図２のロで示す位置に空気をろ過するためのフィルタ２２ａを設けるようにしてもよいものである。
【００２１】
【発明の効果】
上記の請求項１記載の本発明にあっては、風が吸い込み口、風路部を経由してブロアブロックに引き込まれ、手挿入部の上面部に設けた吹き出し口から手挿入部に風を吹き出して手を乾燥させる手乾燥装置であって、本体ハウジングの下部に水受けケースを配設し、手挿入部の下方の本体ハウジングの底部に下方に向けて凹む凹所を形成し、凹所の底部の前部と後部に左右方向に細長い開口部を設け、各開口部の下に開口部に連通した左右方向に細長い凹溝を形成し、各凹溝の端部に開口部から凹溝内に流れた水を水受けケースに排水するための排水口を側方に開口させてあるので、手挿入部に濡れた手を差し込んで吹き出し口から吹き出される気流により乾燥させる際、手に付着した水が本体ハウジングの底部に吹き飛ばされ、開口部から凹溝に流れ、更に、凹溝を気流により凹溝の端部の排水口側に流れ、側方に開口する排水口から下方の水受けケース内に流れ落ちて水受けケースに溜まるものであり、この結果、吹き出し口から吹き出される気流が直接水受けケース内に溜まった水の水面に吹き当ることがなく、水受けケース内の水が波打つことが防止され、水面が波打って水受けケースから外に水がこぼれて周囲を濡らすというようなことが防止できるものである。
【００２２】
また、請求項２記載の発明にあっては、上記請求項１記載の発明の効果に加えて、上記本体ハウジングの底部の両開口部間の部位を開口部側が下となるように傾斜した山形傾斜部とし、本体ハウジングの底部の複数の開口部の周辺部分を開口部側が下となるように傾斜した傾斜面としてあるので、本体ハウジングの底部に落下した水は山形傾斜部、傾斜面に沿って気流により開口部にスムーズに流れ込むものであって、底部に水が残留し、これが気流により飛ばされて外に飛散するというようなことがないものである。
【図面の簡単な説明】
【図１】本発明の斜視図である。
【図２】同上の断面図である。
【図３】同上の断面図であって左半分は図２のＡ−Ａ線で破断して下を見た図で且つ右半分は図２のＡ−Ａ線で破断して上を見た図である。
【図４】同上に用いる水受けケースの平面図であって右半部はその上にフィルタ枠を重ねた状態を示している。
【図５】同上に用いる水受けケースの側断面図である。
【図６】同上の下ハウジング体に水受けケースを取り付けている部分の断面図である。
【図７】同上の開口部と凹溝とを示す要部斜視図である。
【図８】同上のフィルタ枠の平面図である。
【図９】同上の吹き出し口の下面図である。
【符号の説明】
１  吸い込み口
２  風路部
３  手挿入部
５  ブロアケース
６  ブロアブロック
７  吹き出し口
８  本体ハウジング
１５  水受けケース
１７  開口部
２３  凹溝
２４  排水口
５０  山形傾斜部
５１  傾斜面
【図１】
0003731350.tif 000002
【図２】
0003731350.tif 000003
【図３】
0003731350.tif 000004
【図４】
0003731350.tif 000005
【図５】
0003731350.tif 000006
【図６】
0003731350.tif 000007
【図７】
0003731350.tif 000008
【図８】
0003731350.tif 000009
【図９】
0003731350.tif 000010